(57)【要約】      （修正有）【課題】仕口の強度・剛性が高い柱梁接合構造を提供する。【解決手段】柱と梁とが接合されている柱梁接合構造であって、柱は、柱内側木質板材１０と、柱内側木質板材を両面から挟む一対の柱外側木質板材１１と、各々の柱外側木質板材を柱内側木質板材と共に各々挟む一対の柱最外側木質板材１２と、を有し、梁は、梁内側木質板材２０と、梁内側木質板材を両面から挟む一対の梁外側木質板材２１と、を有し、梁内側木質板材は、柱内側木質板材により左梁内側木質板材２００と右梁内側木質板材２０１とに分断されており、柱外側木質板材は、梁外側木質板材により上柱外側木質板材と下柱外側木質板材とに分断されて柱と梁とが接合されている。【選択図】図３
2020079545.tif 000002
【特許請求の範囲】
【請求項１】
柱と梁とが接合されている柱梁接合構造であって、
前記柱は、
柱内側木質板材と、
前記柱内側木質板材を両面から挟む一対の柱外側木質板材と、
各々の前記柱外側木質板材を前記柱内側木質板材と共に各々挟む一対の柱最外側木質板材と、
を有し、
前記梁は、
梁内側木質板材と、
前記梁内側木質板材を両面から挟む一対の梁外側木質板材と、
を有し、
前記梁内側木質板材は、前記柱内側木質板材により左梁内側木質板材と右梁内側木質板材とに分断されており、
前記柱外側木質板材は、前記梁外側木質板材により上柱外側木質板材と下柱外側木質板材とに分断されて柱と梁とが接合されていることを特徴とする柱梁接合構造。
【請求項２】
請求項１に記載の柱梁接合構造であって、
前記梁外側木質板材は、長手方向と交差する高さ方向に沿う繊維方向の比率が１５〜１００％である、
ことを特徴とする柱梁接合構造。
【請求項３】
請求項１に記載の柱梁接合構造であって、
前記梁外側木質板材は、繊維方向が長手方向と交差する高さ方向に沿う単板を積層して接着したＬＶＬである、
ことを特徴とする柱梁接合構造。
【請求項４】
請求項１に記載の柱梁接合構造であって、
前記梁外側木質板材は、繊維方向が長手方向に沿う単板と、繊維方向が長手方向と交差する高さ方向に沿う単板とを積層して接着したＬＶＢ、ＬＶＬＢ種、合板、又は、繊維方向が交差するようにＬＶＬを積層したＬＶＬ積層体であり、
前記柱内側木質板材、前記柱外側木質板材、前記柱最外側木質板材、及び、前記梁内側木質板材は、繊維方向がそれぞれの長手方向に沿っている、
ことを特徴とする柱梁接合構造。
【請求項５】
請求項１乃至請求項４の何れかに記載の柱梁接合構造であって、
前記梁外側木質板材は、長手方向に隣り合う第１板材と第２板材を有し、
前記第１板材と前記第２板材とがフィンガージョイント接合されている、
ことを特徴とする柱梁接合構造。
【請求項６】
請求項１乃至請求項５の何れかに記載の柱梁接合構造であって、
互いに隣り合う前記柱に各々接合されている前記梁間には、介装梁が接合されており、
前記介装梁は、繊維方向が長手方向に沿う介装梁内側木質板材と、前記介装梁内側木質板材を両面から挟み繊維方向が長手方向に沿う一対の介装梁外側木質板材と、を有し、
前記一対の介装梁外側木質板材は、前記介装梁内側木質板材よりも長手方向に突出する一対の介装梁外側突出部を有し、
前記梁は、前記柱とは反対側の端部に、前記梁内側木質板材が前記一対の梁外側木質板材よりも突出する梁内側突出部を有しており、
前記一対の介装梁外側突出部により両側から挟まれた前記梁内側突出部と、前記介装梁外側突出部とが接合されている、
または、
前記介装梁内側木質板材は、前記一対の介装梁外側木質板材よりも長手方向に突出する介装梁内側突出部を有し、
前記梁は、前記柱とは反対側の端部に、前記一対の梁外側木質板材が前記梁内側木質板材よりも突出する一対の梁外側突出部を有しており、
前記一対の梁外側突出部により両側から挟まれた前記介装梁内側突出部と、前記一対の梁外側突出部とが接合されていることを特徴とする柱梁接合構造。
【請求項７】
請求項１乃至請求項６の何れかに記載の柱梁接合構造の柱梁接合方法であって、
前記柱内側木質板材と、前記梁内側木質板材と、を接合する内側木質板材接合ステップと、
前記梁内側木質板材に前記梁外側木質板材を重ねて接合する梁外側木質板材接合ステップと、
前記上柱外側木質板材及び前記下柱外側木質板材を前記柱内側木質板材に重ねると共に前記上柱外側木質板材及び前記下柱外側木質板材を前記梁外側木質板材に当接させて接合する柱外側木質板材接合ステップと、
前記柱最外側木質板材を、前記上柱外側木質板材と前記下柱外側木質板材とに亘らせると共に前記上柱外側木質板材及び前記下柱外側木質板材に重ねて接合する柱最外側木質板材接合ステップと、
を有することを特徴とする柱梁接合方法。
【請求項８】
柱と梁とが接合されている柱梁接合構造であって、
前記柱は、
柱内側木質板材と、
前記柱内側木質板材を両面から挟む一対の柱外側木質板材と、
を有し、
前記梁は、
梁内側木質板材と、
前記梁内側木質板材を両面から挟む一対の梁外側木質板材と、
を有し、
前記柱内側木質板材は、前記梁内側木質板材により上柱内側木質板材と下柱内側木質板材とに分断されており、
前記梁外側木質板材は、前記柱外側木質板材により左梁外側木質板材と右梁外側木質板材とに分断されて柱と梁とが接合されていることを特徴とする柱梁接合構造。
【請求項９】
請求項８に記載の柱梁接合構造であって、
前記梁内側木質板材は、長手方向と交差する高さ方向に沿う繊維方向の比率が１５〜１００％である、
ことを特徴とする柱梁接合構造。
【請求項１０】
請求項８に記載の柱梁接合構造であって、
前記梁内側木質板材は、繊維方向が長手方向と交差する高さ方向に沿う単板を積層して接着したＬＶＬである、
ことを特徴とする柱梁接合構造。
【請求項１１】
請求項８に記載の柱梁接合構造であって、
前記梁内側木質板材は、繊維方向が長手方向に沿う単板と、繊維方向が長手方向と交差する高さ方向に沿う単版とを積層して接着したＬＶＢ、ＬＶＬＢ種、合板、又は、繊維方向が交差するようにＬＶＬを積層したＬＶＬ積層体であり、
前記柱内側木質板材、前記柱外側木質板材、及び、前記梁外側木質板材は、繊維方向がそれぞれの長手方向に沿っている、
ことを特徴とする柱梁接合構造。
【請求項１２】
請求項８乃至請求項１１の何れかに記載の柱梁接合構造であって、
前記梁内側木質板材は、長手方向に隣り合う第１板材と第２板材を有し、
前記第１板材と前記第２板材とがフィンガージョイント接合されている、
ことを特徴とする柱梁接合構造。
【請求項１３】
請求項８乃至請求項１２の何れかに記載に記載の柱梁接合構造であって、
互いに隣り合う前記柱に各々接合されている前記梁間には、介装梁が接合されており、
前記介装梁は、繊維方向が長手方向に沿う介装梁内側木質板材と、前記介装梁内側木質板材を両面から挟み繊維方向が長手方向に沿う一対の介装梁外側木質板材と、を有し、
前記介装梁内側木質板材は、前記一対の介装梁外側木質板材よりも長手方向に突出する介装梁内側突出部を有し、
前記梁は、前記柱とは反対側の端部に、前記一対の梁外側木質板材が前記梁内側木質板材よりも突出する一対の梁外側突出部を有しており、
前記一対の梁外側突出部により両側から挟まれた前記介装梁内側突出部と、前記一対の梁外側突出部とが接合されている、
または、
前記一対の介装梁外側木質板材は、前記介装梁内側木質板材よりも長手方向に突出する一対の介装梁外側突出部を有し、
前記梁は、前記柱とは反対側の端部に、前記梁内側木質板材が前記一対の梁外側木質板材よりも突出する梁内側突出部を有しており、
前記一対の介装梁外側突出部により両側から挟まれた前記梁内側突出部と、前記一対の介装梁外側突出部とが接合されていることを特徴とする柱梁接合構造。
【請求項１４】
請求項８乃至請求項１３の何れかに記載の柱梁接合構造の柱梁接合方法であって、
前記柱外側木質板材と、前記梁外側木質板材と、を接合して柱梁外側接合木質板材を製造する柱梁外側接合木質板材製造ステップと、
前記柱梁外側接合木質板材に、前記梁内側木質板材を重ねて接合する梁内側木質板材接合ステップと、
前記上柱内側木質板材及び前記下柱内側木質板材を、前記柱梁外側接合木質板材の前記柱外側木質板材に重ねると共に前記梁内側木質板材に当接させて接合する柱内側木質板材接合ステップと、
前記柱梁外側接合木質板材に接合された前記上柱内側木質板材、前記下柱内側木質板材、及び、前記柱梁外側接合木質板材に、前記柱梁外側接合木質板材とは異なる他の柱梁外側接合木質板材を重ねて接合する柱梁外側接合木質板材接合ステップと、
を有することを特徴とする柱梁接合方法。
【発明の詳細な説明】
【技術分野】
【０００１】
本発明は、柱と梁とを接合する柱梁接合構造及び柱梁接合方法に関する。
【背景技術】
【０００２】
柱と梁とを接合する柱梁接合構造としては、例えば、木材や集成材などからなる柱部材と梁部材とを、柱部材の上部と梁部材の端部間に、それぞれ、金属製の接合部材を介してドリフトピンがねじ込まれて直角に接合されることが知られている（例えば、特許文献１参照）。木材や集成材などの柱部材や梁部材は、長手方向を木の繊維方向に沿わせて製造されている。すなわち、繊維方向が上下方向に沿う柱部材の側面と、柱部材と直交する水平方向に繊維方向が沿う梁部材の端面とが接合部材を介して接合されている。
【先行技術文献】
【特許文献】
【０００３】
【特許文献１】特開２０１２−９７４８３号公報
【発明の概要】
【発明が解決しようとする課題】
【０００４】
木材や集成材などからなる柱部材や梁部材は、繊維方向には強度・剛性が高いが、繊維方向以外は、強度・剛性が低い。このため、上記従来の柱梁接合構造のように、繊維方向が上下方向に沿う柱部材の側面に、柱部材と直交する水平方向に繊維方向が沿う梁部材を接合すると、梁の曲げモーメントにより柱部材の側面に支圧が作用し、梁部材の端が柱部材の側面にめり込むなどして柱部材が損傷を受ける虞がある。また、柱部材の側面に設けたガセットプレート等の鉄板を介して梁部材とドリフトピン等により接合すると、鉄板に設けた開口とドリフトピン等との間に生じる隙間により、初期剛性が低く、残留変形が生じやすい。このため、強度・剛性の高い仕口の実現が難しいという課題がある。  
本発明は、このような事情に鑑みてなされたものであり、仕口の強度・剛性が高い柱梁接合構造及び柱梁接合方法を提供することを目的とする。
【課題を解決するための手段】
【０００５】
かかる目的を達成するために本発明の柱梁接合構造は、柱と梁とが接合されている柱梁接合構造であって、前記柱は、柱内側木質板材と、前記柱内側木質板材を両面から挟む一対の柱外側木質板材と、各々の前記柱外側木質板材を前記柱内側木質板材と共に各々挟む一対の柱最外側木質板材と、を有し、前記梁は、梁内側木質板材と、前記梁内側木質板材を両面から挟む一対の梁外側木質板材と、を有し、前記梁内側木質板材は、前記柱内側木質板材により左梁内側木質板材と右梁内側木質板材とに分断されており、前記柱外側木質板材は、前記梁外側木質板材により上柱外側木質板材と下柱外側木質板材とに分断されて柱と梁とが接合されていることを特徴とする。
【０００６】
このような柱梁接合構造によれば、柱と梁との接合部において、柱が梁を分断している部位（所謂、柱勝ち）と、梁が柱を分断している部位（所謂、梁勝ち）が混在しているため、初期剛性が高く、残留変形が生じにくい。これにより、梁の端が柱の側面にめり込むことを抑制でき、仕口の強度・剛性が高い柱梁接合構造を提供することが可能である。
【０００７】
かかる柱梁接合構造であって、前記梁外側木質板材は、長手方向と交差する高さ方向に沿う繊維方向の比率が１５〜１００％であることが望ましい。
【０００８】
このような柱梁接合構造によれば、梁外側木質板材の繊維方向の少なくとも一部が、柱外側木質板材の長手方向（繊維方向）と同じ方向になる。このため、梁の曲げモーメントは、柱外側木質板材の分断されている部位に、分断している梁外側木質板材から柱に支圧として作用するので、梁の端が柱にめり込むなどの損傷は生じ難い。このとき、梁外側木質板材からの支圧が作用する部位は柱の全幅なので、支圧が作用する部位をより広く確保することが可能である。また、梁外側木質板材の全ての繊維方向が長手方向に沿っている場合と比べて、柱の鉛直方向の荷重に対する強度・剛性を高めることができる。
【０００９】
かかる柱梁接合構造であって、前記梁外側木質板材は、繊維方向が長手方向と交差する高さ方向に沿う単板を積層して接着したＬＶＬであってもよい。
【００１０】
このような柱梁接合構造によれば、柱の鉛直方向の荷重に対する強度・剛性をより高めることができる。
【００１１】
かかる柱梁接合構造であって、前記梁外側木質板材は、繊維方向が長手方向に沿う単板と、繊維方向が長手方向と交差する高さ方向に沿う単板とを積層して接着したＬＶＢ、ＬＶＬＢ種、合板、又は、繊維方向が交差するようにＬＶＬを積層したＬＶＬ積層体であり、前記柱内側木質板材、前記柱外側木質板材、前記柱最外側木質板材、及び、前記梁内側木質板材は、繊維方向がそれぞれの長手方向に沿っていてもよい。
【００１２】
このような柱梁接合構造によれば、柱の鉛直方向の荷重に対する強度・剛性を高めるとともに、ボルト、綴り材、ドリフトピン等を打ち込んだ際に、割れにくくすることができる。また、一対の柱外側木質板材に挟まれている柱内側木質板材、及び、柱最外側木質板材は、繊維方向が一対の柱外側木質板材と同じなので、柱の高い強度を確保することが可能であり、仕口の強度・剛性を高めることができる。
【００１３】
かかる柱梁接合構造であって、前記梁外側木質板材は、長手方向に隣り合う第１板材と第２板材を有し、前記第１板材と前記第２板材とがフィンガージョイント接合されていることが望ましい。
【００１４】
このような柱梁接合構造によれば、梁外側木質板材の長手方向の長さを所望の長さにすることができる。
【００１５】
かかる柱梁接合構造であって、互いに隣り合う前記柱に各々接合されている前記梁間には、介装梁が接合されており、前記介装梁は、繊維方向が長手方向に沿う介装梁内側木質板材と、前記介装梁内側木質板材を両面から挟み繊維方向が長手方向に沿う一対の介装梁外側木質板材と、を有し、前記一対の介装梁外側木質板材は、前記介装梁内側木質板材よりも長手方向に突出する一対の介装梁外側突出部を有し、前記梁は、前記柱とは反対側の端部に、前記梁内側木質板材が前記一対の梁外側木質板材よりも突出する梁内側突出部を有しており、前記一対の介装梁外側突出部により両側から挟まれた前記梁内側突出部と、前記介装梁外側突出部とが接合されている、または、前記介装梁内側木質板材は、前記一対の介装梁外側木質板材よりも長手方向に突出する介装梁内側突出部を有し、前記梁は、前記柱とは反対側の端部に、前記一対の梁外側木質板材が前記梁内側木質板材よりも突出する一対の梁外側突出部を有しており、前記一対の梁外側突出部により両側から挟まれた前記介装梁内側突出部と、前記一対の梁外側突出部とが接合されていることを特徴とする。
【００１６】
このような柱梁接合構造によれば、間隔がより広い柱間に梁を掛け渡すことが可能である。
【００１７】
また、上記柱梁接合構造の柱梁接合方法であって、前記柱内側木質板材と、前記梁内側木質板材と、を接合する内側木質板材接合ステップと、前記梁内側木質板材に前記梁外側木質板材を重ねて接合する梁外側木質板材接合ステップと、前記上柱外側木質板材及び前記下柱外側木質板材を前記柱内側木質板材に重ねると共に前記上柱外側木質板材及び前記下柱外側木質板材を前記梁外側木質板材に当接させて接合する柱外側木質板材接合ステップと、前記柱最外側木質板材を、前記上柱外側木質板材と前記下柱外側木質板材とに亘らせると共に前記上柱外側木質板材及び前記下柱外側木質板材に重ねて接合する柱最外側木質板材接合ステップと、を有することを特徴とする。
【００１８】
このような柱梁接合方法によれば、柱と梁とを容易に接合することが可能である。また、梁の曲げモーメントは、柱外側木質板材の分断されている部位に、分断している梁外側木質板材から柱の長手方向（繊維方向）に支圧として作用するので、梁の端が柱にめり込むなどの損傷は生じ難いように柱と梁とを接合することが可能である。また、柱及び梁を構成する木質板材を施工現場で積層しつつ柱梁をなすように接合することが可能なので、工場等にて接合した部材を現場に搬入する必要がない。また、大型のクレーン等が必要ないため容易に接合することが可能である。
【００１９】
また、このように接合された柱梁の接合部は、梁外側木質板材からの支圧が作用する部位は柱の全幅なので、支圧が作用する部位をより広く確保することが可能である。また、梁の一対の梁外側木質板材は一対の柱外側木質板材を分断しているので、柱と梁との接合部は、初期剛性が高く、残留変形が生じない。このため、仕口の強度・剛性をより高く柱と梁とを接合することが可能である。
【００２０】
また、かかる目的を達成するために本発明の柱梁接合構造は、柱と梁とが接合されている柱梁接合構造であって、前記柱は、柱内側木質板材と、前記柱内側木質板材を両面から挟む一対の柱外側木質板材と、を有し、前記梁は、梁内側木質板材と、前記梁内側木質板材を両面から挟む一対の梁外側木質板材と、を有し、前記柱内側木質板材は、前記梁内側木質板材により上柱内側木質板材と下柱内側木質板材とに分断されており、前記梁外側木質板材は、前記柱外側木質板材により左梁外側木質板材と右梁外側木質板材とに分断されて柱と梁とが接合されていることを特徴とする。
【００２１】
このような柱梁接合構造によれば、柱と梁との接合部において、柱が梁を分断している部位（所謂、柱勝ち）と、梁が柱を分断している部位（所謂、梁勝ち）が混在しているため、初期剛性が高く、残留変形が生じにくい。これにより、梁の端が柱の側面にめり込むことを抑制でき、仕口の強度・剛性が高い柱梁接合構造を提供することが可能である。
【００２２】
かかる柱梁接合構造であって、前記梁内側木質板材は、長手方向と交差する高さ方向に沿う繊維方向の比率が１５〜１００％であることが望ましい。
【００２３】
このような柱梁接合構造によれば、梁内側木質板材の繊維方向の少なくとも一部が、柱内側木質板材の長手方向（繊維方向）と同じ方向になる。このため、梁の曲げモーメントは、柱内側木質板材の分断されている部位に、分断している梁内側木質板材から柱に支圧として作用するので、梁の端が柱にめり込むなどの損傷は生じ難い。このとき、梁内側木質板材からの支圧が作用する部位は柱の全幅なので、支圧が作用する部位をより広く確保することが可能である。また、梁内側木質板材の全ての繊維方向が長手方向に沿っている場合と比べて、柱の鉛直方向の荷重に対する強度・剛性を高めることができる。
【００２４】
かかる柱梁接合構造であって、前記梁内側木質板材は、繊維方向が長手方向と交差する高さ方向に沿う単板を積層して接着したＬＶＬであってもよい。
【００２５】
このような柱梁接合構造によれば、柱の鉛直方向の荷重に対する強度・剛性をより高めることができる。
【００２６】
かかる柱梁接合構造であって、前記梁内側木質板材は、繊維方向が長手方向に沿う単板と、繊維方向が長手方向と交差する高さ方向に沿う単版とを積層して接着したＬＶＢ、ＬＶＬＢ種、合板、又は、繊維方向が交差するようにＬＶＬを積層したＬＶＬ積層体であり、前記柱内側木質板材、前記柱外側木質板材、及び、前記梁外側木質板材は、繊維方向がそれぞれの長手方向に沿っていてもよい。
【００２７】
このような柱梁接合構造によれば、柱の鉛直方向の荷重に対する強度・剛性を高めるとともに、ボルト、綴り材、ドリフトピン等を打ち込んだ際に、割れにくくすることができる。また、柱内側木質板材を挟んでいる一対の柱外側木質板材は、繊維方向が柱内側木質板材と同じなので、柱の高い強度を確保することが可能であり、仕口の強度・剛性を高めることができる。
【００２８】
かかる柱梁接合構造であって、前記梁内側木質板材は、長手方向に隣り合う第１板材と第２板材を有し、前記第１板材と前記第２板材とがフィンガージョイント接合されていることが望ましい。
【００２９】
このような柱梁接合構造によれば、梁内側木質板材の長手方向の長さを所望の長さにすることができる。
【００３０】
かかる柱梁接合構造であって、互いに隣り合う前記柱に各々接合されている前記梁間には、介装梁が接合されており、前記介装梁は、繊維方向が長手方向に沿う介装梁内側木質板材と、前記介装梁内側木質板材を両面から挟み繊維方向が長手方向に沿う一対の介装梁外側木質板材と、を有し、前記介装梁内側木質板材は、前記一対の介装梁外側木質板材よりも長手方向に突出する介装梁内側突出部を有し、前記梁は、前記柱とは反対側の端部に、前記一対の梁外側木質板材が前記梁内側木質板材よりも突出する一対の梁外側突出部を有しており、前記一対の梁外側突出部により両側から挟まれた前記介装梁内側突出部と、前記一対の梁外側突出部とが接合されている、または、前記一対の介装梁外側木質板材は、前記介装梁内側木質板材よりも長手方向に突出する一対の介装梁外側突出部を有し、前記梁は、前記柱とは反対側の端部に、前記梁内側木質板材が前記一対の梁外側木質板材よりも突出する梁内側突出部を有しており、前記一対の介装梁外側突出部により両側から挟まれた前記梁内側突出部と、前記一対の介装梁外側突出部とが接合されていることを特徴とする。
【００３１】
このような柱梁接合構造によれば、間隔がより広い柱間に梁を掛け渡すことが可能である。
【００３２】
また上記柱梁接合構造の柱梁接合方法であって、前記柱外側木質板材と、前記梁外側木質板材と、を接合して柱梁外側接合木質板材を製造する柱梁外側接合木質板材製造ステップと、前記柱梁外側接合木質板材に、前記梁内側木質板材を重ねて接合する梁内側木質板材接合ステップと、前記上柱内側木質板材及び前記下柱内側木質板材を、前記柱梁外側接合木質板材の前記柱外側木質板材に重ねると共に前記梁内側木質板材に当接させて接合する柱内側木質板材接合ステップと、前記柱梁外側接合木質板材に接合された前記上柱内側木質板材、前記下柱内側木質板材、及び、前記柱梁外側接合木質板材に、前記柱梁外側接合木質板材とは異なる他の柱梁外側接合木質板材を重ねて接合する柱梁外側接合木質板材接合ステップと、を有することを特徴とする。
【００３３】
このような柱梁接合方法によれば、柱と梁とを容易に接合することが可能である。また、梁の曲げモーメントは、柱内側木質板材の分断されている部位に、分断している梁内側木質板材から柱の長手方向（繊維方向）に支圧として作用するので、梁の端が柱にめり込むなどの損傷は生じ難いように柱と梁とを接合することが可能である。また、柱及び梁を構成する木質板材を施工現場で積層しつつ柱梁をなすように接合することが可能なので、工場等にて接合した部材を現場に搬入する必要がない。また、大型のクレーン等が必要ないため容易に接合することが可能である。
【００３４】
また、このように接合された柱梁の接合部は、梁内側木質板材からの支圧が作用する部位は柱の全幅なので、支圧が作用する部位をより広く確保することが可能である。また、梁の梁内側木質板材は柱内側木質板材を分断しているので、柱と梁との接合部は、初期剛性が高く、残留変形が生じない。このため、仕口の強度・剛性をより高く柱と梁とを接合することが可能である。
【発明の効果】
【００３５】
本発明によれば、仕口の強度・剛性が高い柱梁接合構造及び柱梁接合方法を提供することが可能である。
【図面の簡単な説明】
【００３６】
【図１】第１実施形態に係る柱梁接合構造を示す斜視図である。
【図２】第１実施形態に係る柱梁接合構造を示す横断面図である。
【図３】第１実施形態に係る柱梁接合構造の構成を示す分解斜視図である。
【図４】第１実施形態に係る柱梁接合構造において隣り合う柱に設けられている梁間に接合される介装梁との接合構造を示す斜視図である。
【図５】第１実施形態の柱梁接合構造における柱と梁の接合方法を示す図である。
【図６】梁外側木質板材２１の構成例の説明図である。
【図７】第２実施形態に係る柱梁接合構造を示す斜視図である。
【図８】第２実施形態に係る柱梁接合構造を示す横断面図である。
【図９】第２実施形態に係る柱梁接合構造の構成を示す分解斜視図である。
【図１０】第２実施形態に係る柱梁接合構造において隣り合う柱に設けられている梁間に接合される介装梁との接合構造を示す斜視図である。
【図１１】第２実施形態の柱梁接合構造における柱と梁の接合方法を示す図である。
【発明を実施するための形態】
【００３７】
＝＝＝第１実施形態＝＝＝
以下、本発明に係る柱梁接合構造及び柱梁接合方法を、図を用いて説明する。  
図１は、第１実施形態に係る柱梁接合構造を示す斜視図である。図２は、第１実施形態に係る柱梁接合構造を示す横断面図である。図３は、第１実施形態に係る柱梁接合構造の構成を示す分解斜視図である。
【００３８】
第１実施形態の柱梁接合構造により接合される柱１及び梁２は、図１、図２に示すように、断面が略矩形状をなし、製材、集成材、ＬＶＬ等の板状をなす３枚または５枚の木質板材が積層され、積層されている積層方向に、例えばシネジック株式会社製パネリード(登録商標)ビス等の綴り材３が貫入されて一体化されている。尚、図面では、積層された木質板材を綴る全ての綴り材及び柱と梁とを接合する全ての綴り材を示すと図面が不明瞭となるため綴り材３は一部のみを示すものとする。
【００３９】
以下の説明においては、柱１を構成する５枚の木質板材のうちの真ん中に配置される木質板材を柱内側木質板材１０と称し、柱内側木質板材１０を両面から挟む一対の木質板材を柱外側木質板材１１と称し、一対の柱外側木質板材１１を柱内側木質板材１０とともに挟む木質板材を柱最外側木質板材１２と称することとする。また、梁２を構成する３枚の木質板材のうちの真ん中に配置される木質板材を梁内側木質板材２０と称し、梁内側木質板材２０を両面から挟む一対の木質板材を梁外側木質板材２１と称することとする。第１実施形態においては、柱１を構成する５枚の木質板材及び梁２を構成する３枚の木質板材はいずれも、複数の単板の繊維方向を揃えて積層し接着した単板積層材であり、各木質板材にはＬＶＬが使用されている。
【００４０】
なお、柱１や梁２を構成している各木質板材（木材）は、異方性の強い材料であり、繊維方向には強度・剛性が高く、繊維方向以外は、強度・剛性が低いことが知られている。例えば、カラマツの１２０Ｅの板材の場合、繊維方向の圧縮強度が３０Ｎ／ｍｍ２（日本建築学会「木質構造設計規準・同解説」の第４０６頁の資料表３．１参照）であるのに対し、繊維方向と直交する方向（直交方向）の圧縮強度は３Ｎ／ｍｍ２（「木質構造設計規準・同解説」の第４０５頁の資料表２．６参照）である。すなわち、この場合、繊維方向の圧縮強度は、直交方向の圧縮強度の約１０倍である。
【００４１】
また、以下の説明においては、柱１が鉛直に立てられている状態で、上下となる方向を上下方向、柱１を構成する木質板材が積層されている方向を柱積層方向、柱積層方向と直交する水平方向を柱幅方向として示す。また、図面において、貫入されている綴り材３を示す場合には、太い破線で示すものとする。また、各木質板材の繊維方向を、各々の木質板材表面に矢印にて示している。
【００４２】
まず、本発明に係る柱梁接合構造の第１実施形態を、鉛直に立てられた柱１に対し、柱幅方向に沿って柱１の両側に梁２が接合されている柱梁接合構造を例に挙げて説明する。
【００４３】
柱幅方向に沿って柱１の両側に２本の梁２が接合される場合には、図１〜図３に示すように、柱１を構成する柱内側木質板材１０、一対の柱外側木質板材１１及び一対の柱最外側木質板材１２はいずれも繊維が上下方向に沿っている。柱１を構成する柱内側木質板材１０には、梁２が接合される位置に、水平方向及び柱内側木質板材１０の面内方向に沿って貫通する柱開孔１０ａが形成されている。
【００４４】
梁２を構成する梁内側木質板材２０は、繊維方向が梁２の長手方向に沿っており、一対の梁外側木質板材２１は、繊維方向が梁２の長手方向と直交する高さ方向に沿っている。ここで、梁外側木質板材２１の繊維方向を高さ方向に沿わせているのは、梁２の曲げモーメントが、柱１の長手方向（繊維方向）に支圧として作用するので、梁２の端部が柱１にめり込むなどの損傷を生じ難くするためである。また、柱１の鉛直方向の荷重に対しての強度・剛性を高めるためである。なお、繊維方向を高さ方向に沿うようにすることで、材長（長手方向の長さ）が不足する場合、２つのＬＶＬ材（第１板材、第２板材に相当）をフィンガージョイントにより接合して用いればよい（図２、図３、図６参照）。
【００４５】
梁内側木質板材２０は、矩形状に切断された一方の端面が、柱内側木質板材１０の側面に当接されており、梁２の長手方向に沿い、梁内側木質板材２０と柱内側木質板材１０とに亘る鋼棒４により接合されている。このため、柱内側木質板材１０により分断されている２つの梁内側木質板材２０（左梁内側木質板材２００と右梁内木質板材２０１）には、柱１側の端面から梁２の長手方向に沿う梁開孔２０ａが各々設けられており、柱内側木質板材１０には、柱内側木質板材１０の柱幅方向に沿う柱開孔１０ａが設けられている。
【００４６】
梁開孔２０ａと柱開孔１０ａとは、柱内側木質板材１０と２つの梁内側木質板材２０が接合されたときに、繋がる位置に設けられており、鋼棒４は、梁開孔２０ａと柱開孔１０ａとに亘るように配置されて接着剤により接着されている。本実施形態においては、柱内側木質板材１０を幅方向に貫通し両側に突出する鋼棒４の両端側の部位が、柱内側木質板材１０の両側に接合される２つの梁内側木質板材２０に挿通されて接着されている。
【００４７】
一対の梁外側木質板材２１は、柱内側木質板材１０の両側に接合された２つの梁内側木質板材２０と積層方向に重ねられるとともに、綴り材３により柱内側木質板材１０及び２つの梁内側木質板材２０と接合されている。このとき、一対の梁外側木質板材２１のフィンガージョイントにより接合されている、長手方向における中央部が、柱内側木質板材１０の幅方向における中央に位置するように配置されている。また、一対の梁外側木質板材２１と梁内側木質板材２０とが接合された梁２における、柱１とは反対側の端部は、梁内側木質板材２０が一対の梁外側木質板材２１よりも突出する梁内側突出部２ａを有している。
【００４８】
一対の柱外側木質板材１１は、梁外側木質板材２１により、上側に配置される上柱外側木質板材１１ａと下側に配置される下柱外側木質板材１１ｂとに分断されている。上柱外側木質板材１１ａ及び下柱外側木質板材１１ｂは、いずれも柱内側木質板材１０と積層方向に重ねられるとともに、上柱外側木質板材１１ａは、下面が梁外側木質板材２１の上面に当接されており、下柱外側木質板材１１ｂは、上面が梁外側木質板材２１の下面に当接されて、綴り材３により柱内側木質板材１０と接合されている。
【００４９】
一対の柱最外側木質板材１２は、柱内側木質板材１０と接合された上柱外側木質板材１１ａから下柱外側木質板材１１ｂに亘って積層方向に重なると共に、上柱外側木質板材１１ａ、下柱外側木質板材１１ｂ、及び、梁外側木質板材２１と綴り材３により接合されている。すなわち、一対の柱最外側木質板材１２は、柱内側木質板材１０とともに上柱外側木質板材１１ａ、下柱外側木質板材１１ｂ、及び、梁外側木質板材２１を挟んで接合されている。
【００５０】
第１実施形態の柱梁接合構造によれば、柱内側木質板材１０を両面から挟む一対の柱外側木質板材１１が、柱内側木質板材１０を両面から挟む一対の梁外側木質板材２１に分断された状態で、柱１と梁２とが接合されている。すなわち、柱１と梁２との接合部において、柱１が梁２を分断している部位（所謂、柱勝ち）と、梁２が柱１を分断している部位（所謂、梁勝ち）が混在している。このため、初期剛性が高く、残留変形が生じにくい。よって、仕口の強度・剛性が高い柱梁接合構造を提供することが可能である。
【００５１】
また、柱外側木質板材１１の繊維方向と、梁外側木質板材２１の繊維方向とは、同じ方向である。このため、梁２の曲げモーメントは、柱外側木質板材１１の分断されている部位に、分断している梁外側木質板材２１から柱１の長手方向（繊維方向）に支圧として作用するので、梁２の端が柱１にめり込むなどの損傷は生じ難い。このとき、梁外側木質板材２１からの支圧が作用する部位は柱１の全幅なので、支圧が作用する部位をより広く確保することが可能である。また、梁外側木質板材２１の繊維方向が長手方向に沿っている場合と比べて、柱１の鉛直方向の荷重に対する強度・剛性を高めることができる。
【００５２】
また、梁２の一対の梁外側木質板材２１は一対の柱外側木質板材１１を分断して、上柱外側木質板材１１ａの下面が梁外側木質板材２１の上面に、下柱外側木質板材１１ｂの上面が梁外側木質板材２１の下面に、それぞれ当接されているので、柱１と梁２との接合部は、初期剛性が高く、残留変形が生じない。更に、一対の柱外側木質板材１１に挟まれている柱内側木質板材１０、及び、柱最外側木質板材１２は、繊維方向が一対の柱外側木質板材１１と同じなので、柱の高い強度を確保することが可能である。このため、仕口の強度・剛性が高い柱梁接合構造を提供することが可能である。
【００５３】
図４は、第１実施形態に係る柱梁接合構造において隣り合う柱１に設けられている梁２間に接合される介装梁５との接合構造を示す斜視図である。  
第１実施形態の柱梁接合構造により梁２が接合された柱１が、適宜間隔を隔てて複数設けられており、互いに隣り合う柱１に各々接合されている梁２間には、図４に示すように、介装梁５が接合される。介装梁５は、繊維方向が当該介装梁５の長手方向に沿う介装梁内側木質板材５０と、介装梁内側木質板材５０を両面から挟み繊維方向が当該介装梁５の長手方向に沿う一対の介装梁外側木質板材５１と、を有している。
【００５４】
介装梁５は、一対の介装梁外側木質板材５１が介装梁内側木質板材５０よりも介装梁５の長手方向に突出する介装梁外側突出部５１ａを有している。そして、梁２と介装梁５とは、介装梁外側突出部５１ａにより梁内側突出部２ａが両側から挟まれた状態で綴り材３により接合されている。
【００５５】
すなわち、柱１と接合される梁２は、梁外側木質板材２１の繊維方向が柱１の繊維方向と同じ方向を向いているので、柱１と梁２との仕口が高い強度・剛性を備えており、互いに隣り合う柱１と接合された梁２間に接合される介装梁５は、介装梁内側木質板材５０及び介装梁内側木質板材５０を両面から挟む一対の介装梁外側木質板材５１が、いずれも梁に適した水平方向に沿っているので、介装梁５を掛け渡すことにより、隣り合う柱１の間隔を広くすることが可能である。本実施形態においては、介装梁５が有する一対の介装梁外側突出部５１ａにより梁内側突出部２ａが両側から挟まれた状態で綴り材３により接合されている梁２と介装梁５との接合構造を例に挙げて説明したが、これに限らず、一対の梁外側突出部により介装梁内側突出部が両側から挟まれた状態で綴り材により接合されていても構わない。
【００５６】
図５は、第１実施形態の柱梁接合構造における柱１と梁２の接合方法を示す図である。
第１実施形態の柱梁接合構造の柱梁接合方法は、図５に示すように、まず、施工現場において、柱内側木質板材１０の面内方向となる柱幅方向に設けられている柱開孔１０ａに鋼棒４を柱幅方向における一方側から挿通させて両側に各々突出させ、この柱開孔１０ａと、２本の梁２の梁内側木質板材２０の梁開孔２０ａとに接着剤を注入した状態で、梁開孔２０ａ内に鋼棒４を挿入しつつ各梁内側木質板材２０を柱内側木質板材１０に当接させる（内側木質板材接合ステップＳ１）。このとき、柱開孔１０ａと２つの梁開孔２０ａとが繋がった空間を形成し、空間内には梁内側木質板材２０と柱内側木質板材１０とに亘る鋼棒４が収容され接着剤により接着される。梁内側木質板材２０と柱内側木質板材１０とに亘って内在する鋼棒４の接着により２つの梁内側木質板材２０と柱内側木質板材１０とが仮接合される。この状態で、柱内側木質板材１０の繊維方向は上下方向に沿い、梁内側木質板材２０の繊維方向は水平方向に沿っている。
【００５７】
次に、柱内側木質板材１０と２つの梁内側木質板材２０とが仮接合された２つの梁内側木質板材２０に梁外側木質板材２１を積層方向に重ね、柱積層方向から綴り材３を貫入して柱内側木質板材１０及び２つの梁内側木質板材２０と梁外側木質板材２１とを接合する（梁外側木質板材接合ステップＳ２）。接合された梁内側木質板材２０における柱内側木質板材１０とは反対側の端部は、梁外側木質板材２１における柱内側木質板材１０とは反対側の端部よりも突出している。
【００５８】
次に、接合された梁外側木質板材２１の上面に、上柱外側木質板材１１ａの下面を当接させると共に当該上柱外側木質板材１１ａを柱内側木質板材１０と積層方向に重ねて配置し、梁外側木質板材２１の下面に、下柱外側木質板材１１ｂの上面を当接させると共に当該下柱外側木質板材１１ｂを柱内側木質板材１０と積層方向に重ねて配置し、積層方向から綴り材３を貫入して柱内側木質板材１０と上柱外側木質板材１１ａ及び下柱外側木質板材１１ｂとを接合する（柱外側木質板材接合ステップＳ３）。このとき、梁外側木質板材２１の繊維方向は、上下方向に沿っているので、柱内側木質板材１０、上柱外側木質板材１１ａ、及び、下柱外側木質板材１１ｂの繊維方向と一致している。
【００５９】
次に、柱内側木質板材１０と接合された上柱外側木質板材１１ａ及び下柱外側木質板材１１ｂの、柱内側木質板材１０とは反対側に、上柱外側木質板材１１ａから下柱外側木質板材１１ｂに亘るように柱最外側木質板材１２を上柱外側木質板材１１ａ及び下柱外側木質板材１１ｂに重ね合わせて配置し、積層方向から綴り材３を貫入して柱最外側木質板材１２と上柱外側木質板材１１ａ、下柱外側木質板材１１ｂ、及び、梁外側木質板材２１とを接合する（柱最外側木質板材接合ステップＳ４）。
【００６０】
柱外側木質板材接合ステップＳ３及び柱最外側木質板材接合ステップＳ４を、仮接合された柱内側木質板材１０と２つの梁内側木質板材２０とにおける両面側にて、行うことにより第１実施形態の柱梁接合構造となる。このとき、製造工程の順序は、柱内側木質板材１０の一方の面側にて、梁外側木質板材接合ステップＳ２、柱外側木質板材接合ステップＳ３、柱最外側木質板材接合ステップＳ４を順に行った後に、柱内側木質板材１０の他方の面側にて、梁外側木質板材接合ステップＳ２、柱外側木質板材接合ステップＳ３、柱最外側木質板材接合ステップＳ４を順に行ってもよいし、或いは、内側木質板材接合ステップＳ１の後に、柱内側木質板材１０の両面側にて梁外側木質板材接合ステップＳ２、柱外側木質板材接合ステップＳ３を順に行った後に、柱内側木質板材１０の両面側にて柱最外側木質板材接合ステップＳ４を行ってもよい。
【００６１】
第１実施形態の柱梁接合方法によれば、柱１と梁２とを容易に接合することが可能である。また、梁２の曲げモーメントは、上柱外側木質板材１１ａの下面及び下柱外側木質板材１１ｂの上面が当接された梁外側木質板材２１から柱１の長手方向（繊維方向）に支圧として作用するので、梁２の端が柱１にめり込むなどの損傷が生じ難いように柱１と梁２とを接合することが可能である。
【００６２】
また、柱１及び梁２を構成する木質板材１０、１１、１２、２０、２１、を施工現場で積層しつつ柱梁をなすように接合することが可能なので、工場等にて接合した部材を現場に搬入する必要がない。また、大型のクレーン等が必要ないため容易に接合することが可能である。また、このように接合された柱梁の接合部は、梁２の一対の梁外側木質板材２１が一対の柱外側木質板材１１における上柱外側木質板材１１ａの下面及び下柱外側木質板材１１ｂの上面に当接されているので、柱１と梁２との接合部は、初期剛性が高く、残留変形が生じない。このため、仕口の強度・剛性をより高く柱１と梁２とを接合することが可能である。
【００６３】
なお、前述の実施形態では、梁外側木質板材２１がＬＶＬで構成されており、繊維方向が全て高さ方向に沿っていたが、これには限られず、少なくとも一部の繊維方向が高さ方向に沿っていればよい。
【００６４】
図６は、梁外側木質板材２１の構成例の説明図である。なお、図６に示す単板は、円柱形状の木材を、皮をむく要領で薄くむいていく手法（桂剥き）により形成されている。そして、複数の単板を積層して接着している。このとき単板の向きの設定により、図６に示すようなＬＶＬ、ＬＶＢ、ＬＶＬＢ種、合板が形成される。また、図６に示すように、薄いＬＶＬを、向きを変えて（繊維方向を直交させて）積層してもよい（ＬＶＬ積層体に相当）。
【００６５】
このような部材を用いて梁外側木質板材２１を構成してもよい（図６の下段参照）。長手方向の長さが足りない場合は、前述の本実施形態のように２つの部材（第１板材、第２板材に相当）を長手方向に並べてフィンガージョイントにより繋いで使用すればよい。図６において、合板、及び、ＬＶＬ（Ｂ種）のたて向きの場合には、フィンガージョイントすることなく梁外側木質板材２１が形成されている。
【００６６】
梁外側木質板材２１において、繊維方向が長手方向に沿う部位と、繊維方向が直交方向（高さ方向）に沿う部位が混在していることにより、例えば、ボルト、綴り材、ドリフトピン等を打ち込んだ際に割れにくくなる。また、少なくとも一部（具体的には１５％以上）の繊維方向を高さ方向に沿わせることで、繊維方向が全て長さ方向に沿っている場合と比べて、梁２の曲げモーメントを梁外側木質板材２１から柱１の繊維方向に支圧として作用させやすい。また、柱１の鉛直方向の荷重に対する強度・剛性を高めることができる。
【００６７】
また、梁外側木質板材２１は、上述したものには限られず、例えば、ラミナを同方向に積層した集成材や、ラミナを直交させて積層したＣＬＴなどを用いてもよい。
【００６８】
＝＝＝第２実施形態＝＝＝
次に、本発明に係る柱梁接合構造の第２実施形態について説明する。
図７は、第２実施形態に係る柱梁接合構造を示す斜視図である。図８は、第２実施形態に係る柱梁接合構造を示す横断面図である。図９は、第２実施形態に係る柱梁接合構造の構成を示す分解斜視図である。
【００６９】
第２実施形態の柱梁接合構造においては、図７〜図９に示すように、柱６を構成する３枚の木質板材のうちの真ん中に配置される木質板材を柱内側木質板材６０と称し、柱内側木質板材６０を両面から挟む一対の木質板材を柱外側木質板材６１と称することとする。また、梁７を構成する３枚の木質板材のうちの真ん中に配置される木質板材を梁内側木質板材７０と称し、梁内側木質板材７０を両面から挟む一対の木質板材を梁外側木質板材７１と称することとする。第２実施形態においては、柱６を構成する３枚の木質板材及び梁７を構成する３枚の木質板材はいずれも、複数の単板の繊維方向を揃えて積層し接着した単板積層材であり、各木質板材にはＬＶＬが使用されている。
【００７０】
第２実施形態の柱梁接合構造においては、柱６を構成する柱内側木質板材６０、一対の柱外側木質板材６１はいずれも繊維が上下方向に沿っている。柱６を構成する柱外側木質板材６１には、梁７が接合される位置に、水平方向及び柱外側木質板材６１の面内方向に沿って貫通する柱開孔６１ａが形成されている。
【００７１】
梁７を構成する梁内側木質板材７０は、繊維方向が当該梁７の長手方向と直交する高さ方向に沿っており、一対の梁外側木質板材７１は、繊維方向が梁７の長手方向に沿っている。なお、梁内側木質板材７０としては、第１実施形態の梁外側木質板材２１と同様に、ＬＶＬを繊維方向が高さ方向に沿うように配置している。繊維方向を高さ方向に沿うようにすることで材長（長手方向の長さ）が不足する場合、２つのＬＶＬ材（第１板材、第２板材に相当）をフィンガージョイントにより接合して用いればよい（図６、図８、図９参照）。
【００７２】
一対の梁外側木質板材７１は、矩形状に切断された一方の端面がそれぞれ、柱外側木質板材６１の側面に当接されており、梁７の長手方向に沿い、梁外側木質板材７１と柱外側木質板材６１とに亘る鋼棒４により接合されている。このため、柱外側木質板材６１により分断されている２つの梁外側木質板材７１（左梁外側木質板材７１０及び右梁外側木質板材７１１）には、柱６側の端面から梁７の長手方向に沿う梁開孔７１ａが各々設けられており、柱外側木質板材６１には、柱外側木質板材６１の幅方向に沿う柱開孔６１ａが設けられている。
【００７３】
梁開孔７１ａと柱開孔６１ａとは、柱外側木質板材６１と梁外側木質板材７１が接合されたときに、繋がる位置に設けられており、鋼棒４は、梁開孔７１ａと柱開孔６１ａとに亘るように配置されて接着剤により接着されている。第２実施形態においては、柱外側木質板材６１を幅方向に貫通し両側に突出する鋼棒４の両端側の部位が、柱外側木質板材６１の両側に接合される２つの梁外側木質板材７１に挿通されて接着されている。ここで、一対の梁外側木質板材７１と柱外側木質板材６１とが接合された部材が柱梁外側接合木質板材７００に相当する。
【００７４】
一対の柱外側木質板材６１と一対の梁外側木質板材７１との間に設けられる梁内側木質板材７０は、柱外側木質板材６１の両側に接合された２つの梁外側木質板材７１と積層方向に重ねられるとともに綴り材により柱外側木質板材６１及び２つの梁外側木質板材７１と接合されている。このとき、梁内側木質板材７０のフィンガージョイントにより接合されている、長手方向における中央部が、柱内側木質板材６０の幅方向における中央に位置するように配置されている。また、一対の梁外側木質板材７１と梁内側木質板材７０とが接合された梁７における、柱６とは反対側の端部は、一対の梁外側木質板材７１が梁内側木質板材７０よりも突出する梁外側突出部７ａを有している。
【００７５】
一対の柱内側木質板材６０は、梁内側木質板材７０により、上側に配置される上柱内側木質板材６０ａと下柱内側木質板材６０ｂとに分断されている。上柱内側木質板材６０ａ及び下柱内側木質板材６０ｂは、いずれも柱外側木質板材６１と積層方向に重ねられるとともに、上柱内側木質板材６０ａの下面が梁内側木質板材７０の上面に、下柱内側木質板材６０ｂの上面が梁内側木質板材７０の下面にそれぞれ当接されて、綴り材３により一対の柱外側木質板材６１と接合されている。
【００７６】
第２実施形態の柱梁接合構造によれば、柱６と梁７との接合部において、柱６が梁７を分断している部位（所謂、柱勝ち）と、梁７が柱６を分断している部位（所謂、梁勝ち）が混在している。このため、初期剛性が高く、残留変形が生じにくい。よって、仕口の強度・剛性が高い柱梁接合構造を提供することが可能である。
【００７７】
また、柱内側木質板材６０の繊維方向と梁内側木質板材７０の繊維方向とは、同じ方向である。このため、梁７の曲げモーメントは、柱内側木質板材６０の分断されている部位に、分断している梁内側木質板材７０から柱６の長手方向（繊維方向）に支圧として作用するので、梁７の端が柱６にめり込むなどの損傷は生じ難い。このとき、梁内側木質板材７０からの支圧が作用する部位は柱６の全幅なので、支圧が作用する部位をより広く確保することが可能である。
【００７８】
また、梁７の梁内側木質板材７０は柱内側木質板材６０を分断して、上柱内側木質板材６０ａの下面が梁内側木質板材７０の上面に、下柱内側木質板材６０ｂの上面が梁内側木質板材７０の下面にそれぞれ当接されているので、柱６と梁７との接合部は、初期剛性が高く、残留変形が生じない。更に、柱内側木質板材６０を挟んでいる一対の柱外側木質板材６１は、繊維方向が柱内側木質板材６０と同じなので、柱６の高い強度を確保することが可能である。このため、仕口の強度・剛性が高い柱梁接合構造を提供することが可能である。
【００７９】
図１０は、第２実施形態に係る柱梁接合構造において隣り合う柱６に設けられている梁７間に接合される介装梁８との接合構造を示す斜視図である。  
第２実施形態の柱梁接合構造により梁７が接合された柱６が、適宜間隔を隔てて複数設けられており、互いに隣り合う柱６に各々接合されている梁７間には、図１０に示すように、介装梁８が接合される。介装梁８は、繊維方向が当該介装梁８の長手方向に沿う介装梁内側木質板材８０と、介装梁内側木質板材８０を両面から挟み繊維方向が当該介装梁８の長手方向に沿う一対の介装梁外側木質板材８１と、を有している。
【００８０】
介装梁８は、介装梁内側木質板材８０が一対の介装梁外側木質板材８１よりも介装梁８の長手方向に突出する介装梁内側突出部８０ａを有している。そして、梁７と介装梁８とは、梁外側突出部７ａにより介装梁内側突出部８０ａが両側から挟まれた状態で綴り材３により接合されている。
【００８１】
すなわち、柱６と接合される梁７は、梁内側木質板材７０の繊維方向が柱６の繊維方向と同じ方向を向いているので、柱６と梁７との仕口が高い強度・剛性を備えており、互いに隣り合う柱６と接合された梁７間に接合される介装梁８は、介装梁内側木質板材８０及び介装梁内側木質板材８０を両面から挟む一対の介装梁外側木質板材８１が、いずれも梁に適した水平方向に沿っているので、介装梁８を掛け渡すことにより、隣り合う柱６の間隔を広くすることが可能である。本実施形態においては、梁７が有する一対の梁外側突出部７ａにより介装梁内側突出部８０ａが両側から挟まれた状態で綴り材３により接合されている梁７と介装梁８との接合構造を例に挙げて説明したが、これに限らず、一対の介装梁外側突出部により梁内側突出部が両側から挟まれた状態で綴り材により接合されていても構わない。
【００８２】
図１１は、第２実施形態の柱梁接合構造における柱６と梁７の接合方法を示す図である。  
第２実施形態の柱梁接合構造の柱梁接合方法は、図１１に示すように、まず、施工現場において、柱外側木質板材６１の面内方向となる柱幅方向に設けられている柱開孔６１ａに鋼棒４を柱幅方向における一方側から挿通させて両側に各々突出させ、この柱開孔６１ａと、２本の梁７の梁外側木質板材７１の梁開孔７１ａとに接着剤を注入した状態で、梁開孔７１ａ内に鋼棒４を挿入しつつ各梁外側木質板材７１を柱外側木質板材６１に当接させて柱梁外側接合木質板材７００を製造する（柱梁外側接合木質板材製造ステップＳ１１）。このとき、柱開孔６１ａと２つの梁開孔７１ａとが繋がった空間を形成し、空間内には梁外側木質板材７１と柱外側木質板材６１とに亘る鋼棒４が収容され接着剤により接着される。梁外側木質板材７１と柱外側木質板材６１とに亘って内在する鋼棒４の接着により２つの梁外側木質板材７１と柱外側木質板材６１とが仮接合される。この状態で、柱外側木質板材６１の繊維方向は上下方向に沿い、梁外側木質板材７１の繊維方向は水平方向に沿っている。このとき、柱梁外側接合木質板材７００は、２つ製造しておく。
【００８３】
次に、製造した２つの柱梁外側接合木質板材７００のうちの一方の、２つの梁外側木質板材７１に梁内側木質板材７０を積層方向に重ね、柱積層方向から綴り材３を貫入して柱外側木質板材６１及び２つの梁外側木質板材７１と梁内側木質板材７０とを接合する（梁内側木質板材接合ステップＳ１２）。接合された状態で梁外側木質板材７１における、柱外側木質板材６１とは反対側の端部は、梁内側木質板材７０における、柱内側木質板材６０とは反対側の端部よりも突出している。
【００８４】
次に、接合された梁内側木質板材７０の上面に、上柱内側木質板材６０ａの下面を当接させると共に当該上柱内側木質板材６０ａを柱外側木質板材６１と積層方向に重ねて配置し、梁内側木質板材７０の下面に、下柱内側木質板材６０ｂの上面を当接させると共に当該下柱内側木質板材６０ｂを柱外側木質板材６１と積層方向に重ねて配置し、積層方向から綴り材３を貫入して柱外側木質板材６１と上柱内側木質板材６０ａ及び下柱内側木質板材６０ｂとを接合する（柱内側木質板材接合ステップＳ１３）。このとき、梁内側木質板材７０の繊維方向は、上下方向に沿っているので、柱外側木質板材６１、上柱内側木質板材６０ａ、及び、下柱内側木質板材６０ｂの繊維方向と一致している。
【００８５】
次に、柱梁外側接合木質板材製造ステップＳ１１にて製造した２つの柱梁外側接合木質板材７００のうちの他方の、２つの梁外側木質板材７１を梁内側木質板材７０と積層方向に重ね、柱外側木質板材６１を上柱内側木質板材６０ａ、及び、下柱内側木質板材６０ｂと積層方向に重ね、柱積層方向から綴り材３を貫入して柱外側木質板材６１及び２つの梁外側木質板材７１と梁内側木質板材７０、上柱内側木質板材６０ａ、及び、下柱内側木質板材６０ｂとを接合する（柱梁外側接合木質板材接合ステップＳ１４）ことにより第２実施形態の柱梁接合構造となる。
【００８６】
第２実施形態の柱梁接合方法によれば、柱６と梁７とを容易に接合することが可能である。また、梁７の曲げモーメントは、上柱内側木質板材６０ａの下面及び下柱内側木質板材６０ｂの上面が当接された梁内側木質板材７０から柱６の長手方向（繊維方向）に支圧として作用するので、梁７の端が柱６にめり込むなどの損傷が生じ難いように柱６と梁７とを接合することが可能である。
【００８７】
また、柱６及び梁７を構成する木質板材６０、６１、７０、７１を施工現場で積層しつつ柱梁をなすように接合することが可能なので、工場等にて接合した部材を現場に搬入する必要がない。また、大型のクレーン等が必要ないため容易に接合することが可能である。また、このように接合された柱梁の接合部は、梁７の梁内側木質板材７０が柱内側木質板材６０における上柱内側木質板材６０ａの下面及び下柱内側木質板材６０ｂの上面に当接されているので、柱６と梁７との接合部は、初期剛性が高く、残留変形が生じない。このため、仕口の強度・剛性をより高く柱６と梁７とを接合することが可能である。
【００８８】
尚、第１及び第２実施形態の柱梁接合構造に、上記梁２、７と交差する柱の積層方向に沿う梁９を接合する場合には、例えば、図４、図１０に示すように、柱１、６に当接させてガセットプレート９１をボルト等により接合し、スリット９ａが設けられた積層方向に沿う梁９に綴り材３を貫入させてガセットプレート９１を介して柱１、６と接合しても構わない。
【００８９】
また、第１実施形態と同様に、梁内側木質板材７０を、ＬＶＢ、ＬＶＬＢ種、合板、ＬＶＬの重ね合わせ（ＬＶＬ積層体）などで構成してもよい（図６参照）。この場合も、高さ方向に沿う繊維方向の比率が１５〜１００％であればよい。
【００９０】
＝＝＝その他の実施形態＝＝＝
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００９１】
１  柱、２  梁、２ａ  梁内側突出部、５  介装梁、６  柱、７  梁、８  介装梁、
１０  柱内側木質板材、１１  柱外側木質板材、１１ａ  上柱外側木質板材、
１１ｂ  下柱外側木質板材、１２  柱最外側木質板材、２０  梁内側木質板材、
２１  梁外側木質板材、５０  介装梁内側木質板材、５１  介装梁外側木質板材、
５１ａ  介装梁外側突出部、６０  柱内側木質板材、６０ａ  上柱内側木質板材、
６０ｂ  下柱内側木質板材、６１  柱外側木質板材、７０  梁内側木質板材、
７１  梁外側木質板材、８０  介装梁内側木質板材、８０ａ  介装梁突出部、
８１  介装梁外側木質板材、２００  左梁内側木質板材、２０１  右梁内木質板材、
７００  柱梁外側接合木質板材、７１０  左梁外側木質板材、７１１  右梁外側木質板材
【図１】
2020079545.tif 000003
【図２】
2020079545.tif 000004
【図３】
2020079545.tif 000005
【図４】
2020079545.tif 000006
【図５】
2020079545.tif 000007
【図６】
2020079545.tif 000008
【図７】
2020079545.tif 000009
【図８】
2020079545.tif 000010
【図９】
2020079545.tif 000011
【図１０】
2020079545.tif 000012
【図１１】
2020079545.tif 000013